(57)【特許請求の範囲】
【請求項１】
複数の階層に分類された画像形成条件を設定するための複数の設定画面及び標準状態の画像形成条件を表示する初期画面のデータを記憶する記憶手段と、
表示手段及び該表示手段上に配設されるタッチスイッチからなるタッチパネルと、
上記タッチパネルに、操作者の操作に応答して上位階層の画像形成条件の項目に対応する設定画面から下位階層の画像形成条件の項目に対応する設定画面へと切り換えて表示を行う表示制御手段と、
所定の設定画面へ切り換えた後、操作者が操作することなく、一定期間経過した場合には画像形成条件を標準状態にリセットすることなく初期画面とは異なるとともに基本機能を設定する画面に表示を切り換え、その後さらに一定期間経過した場合には画像形成条件を標準状態にリセットして初期画面に切り換える表示画面切り換え手段と
を備えることを特徴とする表示装置。
【請求項２】
複数の階層に分類された画像形成条件を設定するための複数の設定画面及び標準状態の画像形成条件を表示する初期画面のデータを記憶する記憶手段と、
表示手段及び該表示手段上に配設されるタッチスイッチからなるタッチパネルと、
上記タッチパネルに、操作者の操作に応答して上位階層の画像形成条件の項目に対応する設定画面から下位階層の画像形成条件の項目に対応する設定画面へと切り換えて表示を行う表示制御手段と、
所定の設定画面へ切り換えた後、操作者が操作することなく、一定期間経過した場合には画像形成条件を標準状態にリセットすることなく下位階層での画像形成条件の設定内容を含む初期画面に表示を切り換え、その後さらに一定期間経過した場合には画像形成条件を標準状態にリセットして初期画面に切り換える表示画面切り換え手段と
を備えることを特徴とする表示装置。
【発明の詳細な説明】
【０００１】
【発明の技術分野】
本発明は、デジタルカラー複写機、ファクシミリ等の画像形成装置に備えられる操作パネルの表示装置に関する。
【０００２】
【従来の技術】
従来より、デジタルカラー複写機、ファクシミリ等の画像形成装置の操作パネルとして、液晶ディスプレイ（ＬＣＤ）や陰極線管（ＣＲＴ）を用いて、各種機能項目やその実行条件を表示するものがある。近年においては、各機能の表示と入力とを同一画面上で実行するタッチパネルを備え、使用者の入力に応じてその表示画面の内容を変化させる表示装置が、米国特許５，０３６，３６１号や特開平４−２３３５９１号公報に開示されている。
【０００３】
上記表示装置は、各画像形成条件を設定するまでに複数の階層を備える。使用者がある機能項目の表示部分を押下すると、表示装置は、表示画面をその機能に関する画面に切り換える。使用者は、切り換えられた画面の指示に従って画像形成条件を設定する。また、使用者による画像形成条件の設定終了後から一定期間経過後、もしくは使用者により画像形成条件の設定がされないまま一定の時間が経過した場合、画像形成装置は、画像形成条件をリセットし、表示画面を初期画面に戻す。
【０００４】
【発明が解決しようとする課題】
上記表示装置は、ある機能項目を選択して条件を設定している際、選択した機能項目に関する詳細内容以外は表示されない。そのため、使用者は、他の機能の条件の設定及び確認を行う場合には、その都度、他の画面に戻ることが必要となる。このため、誤設定を見逃し、印字用紙を無駄にすることがある。また、上記装置は、使用者による画像形成条件の設定中であっても、一定期間経過後、画像形成条件をリセットする。この場合、使用者は、画像形成条件を再度設定し直さねばならず、不便である。
【０００５】
本発明の目的は、より効率良く画像形成条件を設定する表示装置を提供することである。
【０００６】
【課題を解決するための手段】
本発明に係る第１の表示装置は、複数の階層に分類された画像形成条件を設定するための複数の設定画面及び標準状態の画像形成条件を表示する初期画面のデータを記憶する記憶手段と、表示手段及び該表示手段上に配設されるタッチスイッチからなるタッチパネルと、上記タッチパネルに、操作者の操作に応答して上位階層の画像形成条件の項目に対応する設定画面から下位階層の画像形成条件の項目に対応する設定画面へと切り換えて表示を行う表示制御手段と、所定の設定画面へ切り換えた後、操作者が操作することなく、一定期間経過した場合には画像形成条件を標準状態にリセットすることなく初期画面とは異なるとともに基本機能を設定する画面に表示を切り換え、その後さらに一定期間経過した場合には画像形成条件を標準状態にリセットして初期画面に切り換える表示画面切り換え手段とを備える。
本発明に係る第２の表示装置は、複数の階層に分類された画像形成条件を設定するための複数の設定画面及び標準状態の画像形成条件を表示する初期画面のデータを記憶する記憶手段と、表示手段及び該表示手段上に配設されるタッチスイッチからなるタッチパネルと、上記タッチパネルに、操作者の操作に応答して上位階層の画像形成条件の項目に対応する設定画面から下位階層の画像形成条件の項目に対応する設定画面へと切り換えて表示を行う表示制御手段と、所定の設定画面へ切り換えた後、操作者が操作することなく、一定期間経過した場合には画像形成条件を標準状態にリセットすることなく下位階層での画像形成条件の設定内容を含む初期画面に表示を切り換え、その後さらに一定期間経過した場合には画像形成条件を標準状態にリセットして初期画面に切り換える表示画面切り換え手段とを備える。
【０００７】
【発明の実施の形態】
以下添付の図面を用いて本発明の実施の形態の表示装置について以下の順序で説明する。
（１）デジタルカラー複写機の構成
（２）操作パネル部
（３）キー入力画面の具体例
（４）表示制御処理
【０００８】
（１）デジタルカラー複写機の構成
図１は、本発明の実施形態に係るデジタルカラー複写機の全体構成を示す断面図である。デジタルカラー複写機は、原稿画像を読み取るイメージリーダ部１００と、イメージリーダ部１００で読み取った画像を再現する複写部２００とに大きく分けられる。
【０００９】
イメージリーダ部１００において、スキャナ１０は、原稿を照射する露光ランプ１２と、原稿からの反射光を集光するロッドレンズアレー１３、及び、集光された光を電気信号に変換する密着型のＣＣＤカラーイメージセンサ１４を備えている。スキャナ１０は、原稿読取時にはモータ１１により駆動されて、矢印の方向(副走査方向)に移動し、プラテン１５上に載置された原稿を走査する。露光ランプ１２で照射された原稿面の画像は、イメージセンサ１４で光電変換される。イメージセンサ１４により得られたＲ,Ｇ,Ｂの３色の多値電気信号は、読取信号処理部２０により、イエロー(Ｙ)、マゼンタ(Ｍ)、シアン(Ｃ)、ブラック(Ｂｋ)のいずれかの８ビットの階調データに変換される。信号処理部２０において求められた８ビットの階調データは、同期用バッファ（ＦＩＦＯメモリ）３０に記憶される。プラテン１５の側部には、本発明に係る操作パネル部５０が設けられる。操作パネル部５０は、制御ラインを介してプリントヘッド部３１と接続される。プリントヘッド部３１では、操作パネル部５０を介して使用者により設定されるコピーモードに従い、複写機内部の各モータ等を制御すると共に、半導体レーザの発光強度を制御する。
【００１０】
次に、複写部２００において、プリントヘッド部３１は、バッファ３０を介して入力される８ビットの階調データに対して、所定の階調補正(γ補正)を行った後、補正後の画像データをＤ／Ａ変換してレーザダイオード駆動信号を生成し、この駆動信号に基づく発光強度で半導体レーザを変調する。プリントヘッド部３１から出力されるレーザビームは、反射鏡３９を介して、回転駆動される感光体ドラム４１を露光する。感光体ドラム４１は、１複写ごとに露光を受ける前にイレーサランプ４２で照射され、帯電チャージャ４３により一様に帯電されている。この状態で露光をうけると、感光体ドラム４１上に原稿の静電潜像が形成される。シアン、マゼンタ、イエロー、ブラックのトナー現像器４５a〜４５dのうちいずれか一つだけが選択され、感光体ドラム４１上の静電潜像を現像する。現像されたトナー像は、転写チャージャ４６により転写ドラム２５１上に巻きつけられた複写紙に転写される。
【００１１】
上記印字過程は、イエロー（Ｙ）、マゼンタ（Ｍ）、シアン（Ｃ）及びブラック（Ｋ）の４色について繰り返して行われる。このとき、感光体ドラム４１と転写ドラム２５１の動作に同期してスキャナ１０はスキャン動作を繰り返す。その後、複写紙は、分離爪４７を作動させることによって転写ドラム２５１から分離され、定着装置４８を通って定着され、ステープルソター４９に排紙される。ステープルソター４９は、操作パネル部５０を介して設定された排紙形式で複写紙を出力する。ここで、排紙形式には、複写紙を連続して１つの排紙トレーに廃止する形式と、各ページを１部づつ各排紙トレーに排紙する丁合い形式と、同一ページを同一排紙トレーに排紙するスタック形式をいう。複写紙は、用紙カセット２５０より適切なサイズものが給紙される。供給された複写紙は、転写ドラム２５１上のチャッキング機構２５２によりその先端がチャッキングされ、転写時に位置ずれが生じないようにしている。
【００１２】
（２）操作パネル部
図２は、操作パネル部５０の正面図を示す。操作パネル部５０は、操作パネルとしてコピー枚数や複写率を直接設定するためのテンキー５４と、複写動作の開始を指示するプリントキー６１と、ＬＣＤ表示ユニット５１を備える。ＬＣＤ表示ユニット５１は、液晶表示装置５２と、その上に設けられた透明なタッチスイッチ５３からなるタッチパネルである。使用者は、液晶表示装置５２に表示されたキー入力画面をタッチスイッチ５３を通して視差なしに認識することができる。
【００１３】
図３は、操作パネル部５０の制御ブロック図である。ＣＰＵ５５は、操作パネル部５０の制御を行うと共に、使用者により設定された複写条件やプリント開始の指示を、制御ラインを介して図２に示したプリントヘッド部３１へ伝える。ＲＯＭ５９は、操作パネル部５０で実行する表示処理プログラムを格納する。また、ＲＡＭ５８は、バッテリーによりバックアップされており、使用者により設定されたコピーモード等を記憶する。ＶＲＡＭ５７は、液晶表示装置５２に表示する各種のキー入力画面のデータを格納する。ＭＰＸ（マルチプレクサ）６０は、ＶＲＡＭ５７から読み出されるキー入力画面のデータと、ＲＡＭ５８より読み出される複写条件のデータ（例えば、複写枚数や複写倍率）とを合成し、合成したデータをＬＣＤコントローラ５６に入力する。ＬＣＤコントローラ５６は、ＣＰＵ５５より送られてくるデータに従って液晶表示装置５２にデータを出力する。スイッチ６２によりＯＮ／ＯＦＦされるバックライトを備えた液晶表示装置５２は、ＬＣＤコントローラより送られてくる制御信号に従ってキー入力画面を表示する。使用者は、例えば図４に示すように液晶表示装置５２に表示されるキー５０５〜５１２の表示箇所をタッチスイッチ５３を介して触れることでタッチスイッチ５３を押下する。タッチスイッチ５３は、表示画面を横に２０個、縦に１５個に分割された、合計３００個のスイッチからなり、使用者により押下されたスイッチの位置データをＣＰＵ５５に送る。ＣＰＵ５５は、タッチスイッチより送られてくる位置データと、液晶表示装置５２に表示しているキー入力画面とに基づいて、使用者の押下したキーを認識する。ＣＰＵ５５は、認識したキーの内容に応じてＲＡＭ５８、ＶＲＡＭ５７及びＬＣＤコントローラ５６に制御信号を送り液晶表示装置５２の表示画面を切り換える。また、後に説明するように、何のキー入力もされない場合、一定の期間経過後に各種設定画面（図６参照）より基本画面（図５参照）に戻す。そして更に一定の期間経過後に使用者により設定された複写条件を初期化する（図４参照）。
【００１４】
（３）キー入力画面
図４〜図９は、液晶表示装置５２に表示されるキー入力画面を示す。以下に示すキー入力画面において斜線で示されるキーが押下可能なキーを表し、白抜きで表されているキーが使用者により選択されたキー、またはコピーモードの初期化により選択されるキーを表す。
【００１５】
図４は、電源投入時に表示されるキー入力画面（以下、これを初期画面という）を示す。図示するように、キー入力画面は、Ａ〜Ｄの合計４つのブロックから構成されている。ＣＰＵ５５は、各４つのブロックに示す画面の独立した書き換えを制御する。液晶表示装置５２は、５つに大分類された複写条件のキー入力画面の選択キーをＡブロック５０１に表示する。基本キー５０９は、基本機能を設定するキー入力画面を選択するキーである。ここで、基本機能の設定とは、複写濃度及び複写倍率の設定、複写用紙の選択をいう。基本キー５０９が押下され、表示されるキー入力画面を基本画面という。コピー形式キー５０８は、片面から片面へのコピー、片面から両面へのコピー等のコピー形式を設定するキー入力画面を選択するキーである。仕上げキー５０７は、ステープルソター４９による複写紙の排紙形式を設定するキー入力画面を選択するキーである。ファイリングキー５０６は、綴じ代の作成や、わく消し等の処理を設定するキー入力画面を選択するキーである。クリエイトキー５０５は、指定領域のマスキング、トリミング等を実行する機能を設定するキー入力画面を選択するキーである。
【００１６】
Ｂブロック５０２は、例えば、「コピーできます。」もしくは「コピー中です。」等の複写機の状態、及び複写枚数の表示を行う。
【００１７】
Ｃブロック５０３は、Ａブロックで使用者により選択されたキー入力画面において、より詳細な複写条件を設定するためのキー入力画面の呼び出しキー５１０〜５１２を表示する。呼び出しキー５１０〜５１２のそれぞれには、現在設定されている詳細な複写条件が表示される。これにより、複写条件の設定状況を確認するために、該複写条件のキー入力画面を呼び出す必要が無くなる。濃度画面呼び出しキー５１０には、「オート濃度」と表示されている。これは、原稿画像の濃度に基づいて自動的に複写濃度を設定するモードが設定されていることを示す。倍率画面呼び出しキー５１１には、「×１．０００」と表示されている。これは、複写倍率が１．０００倍に設定されていることを示す。用紙画面呼び出しキー５１２には、「オート用紙」と表示されている。これは、複写倍率と原稿サイズとから自動的に適切なサイズの複写紙を用紙カセット２５０より選択するモードが設定されていることを示す。ＣＰＵ５５は、使用者による各呼び出しキー５１０〜５１２の押下に対応して、該当するキー入力画面をＤブロックに表示する。
【００１８】
Ｄブロック５０４は、各呼び出しキー５１０〜５１２に対応するキー入力画面の他に「トナーが少なくなっています。」等の機械の状態等、特に複写作業に差し障りがないため常に表示する必要のない情報を表示する。
【００１９】
図５は、図４に示した初期画面において、使用者によりテンキー５４を介してコピー枚数が５枚に設定され、複写倍率が後に説明する方法で「×０．７０７」に設定された場合の基本画面である。ＣＰＵ５５は、使用者により一定の期間、キー入力がされない場合、設定されたコピーモードを初期化し、液晶表示装置５２の表示画面を図４に示す初期画面に書き換える。
【００２０】
図６は、図５の基本画面で使用者により濃度画面呼び出しキー５１０が押下された場合のキー入力画面を示す。Ｄブロック５０４には（図４参照）、「オート濃度」モードが設定されているため白抜きで示される「オート濃度」モードの設定キー５１８と、マニュアルで複写濃度のコピーモード設定を行うための設定キー５１６及び５１７と、原稿画像の種類を設定する設定キー５１３〜４１５が示される。図６では、文字／写真設定キー５１４が白抜きで表され、原稿画像の種類を自動的に判別するモードが設定されていることが理解される。設定キー５１６もしくは５１７の何れかの設定キーが押下されると、「オート濃度」モードがキャンセルされ、設定キー５１６もしくは５１７の入力に応じて「濃い」、「やや濃い」、「普通」、「やや薄い」、「薄い」等の複写濃度が設定される。これに伴い、キー５１０の位置の表示は、「濃度オート」から、「濃い」、「やや濃い」、「普通」、「やや薄い」、「薄い」等の表示に書き換える。
【００２１】
この画面において、使用者により倍率画面呼び出しキー５１１が押下された場合、ＣＰＵ５５は、液晶表示装置５２の表示する画面を図７のキー入力画面に書き換える。使用者により用紙画面呼び出しキー５１２が押下された場合、ＣＰＵ５５は、液晶表示装置５２の表示する画面を図８のキー入力画面に書き換える。この場合、キー入力画面は、Ｄブロックの表示が書き換えられるだけであり、使用者は、Ｃブロックの各キー５１０〜５１２の表示から設定されている複写条件を確認することができる。
【００２２】
また、使用者により一定の期間、キー入力がされない場合には、液晶表示装置５２の表示する画面を図５の基本画面に書き換える。更に、一定の期間、キー入力がされない場合には、設定されたコピーモードを初期化し、液晶表示装置５２の表示画面を図４に示す初期画面に書き換える。このように、本実施形態の表示装置は、使用者が設定するコピーモードについて考えている間に一定時間経過してしまった場合であっても、直接初期画面に書き換えてしまうのではなく、一旦、基本画面に書き換えた後、更に一定期間の経過を待って初期画面に書き換える。これにより、コピーモード設定中の不要な初期化を防止することができる。
【００２３】
図７は、図５の基本画面で使用者により倍率画面読み出しキー５１１が押下された場合のキー入力画面を示す。Ｄブロック５０４には（図４参照）、原稿画像のサイズと、選択された複写紙のサイズに基づいて自動的に複写倍率を設定する「オート倍率」モードの設定キー５２０と、使用者により設定された複写倍率を記憶するための「１０キー／メモリ」モードの設定キー５２１と、マニュアルで複写倍率を増減させるための倍率変更キー５２９及び５３０と、予め定められた複写倍率を設定する倍率設定キー５２３〜５２８と、複写倍率を等倍（×１．０００）にする等倍キー５２２が表示される。図７では、呼び出しキー５１１の位置に「×０．７０７」が表示され、キー５２５が白抜きとなっていることから、以前に使用者がキー５２５を押下して、Ａ３からＡ４（もしくはＢ４からＢ５）への縮小コピーが設定されたことが理解される。ここで、使用者により等倍キー５２２が押下された場合には、複写倍率に「×１．０００」が設定されると共に、キー５１１の位置の表示が「×０．７０７」から「×１．０００」に書き換えられる。
【００２４】
この画面において、使用者により濃度画面呼び出しキー５１０が押下された場合、ＣＰＵ５５は、液晶表示装置５２の表示する画面を図６の画面に書き換える。使用者により用紙画面呼び出しキー５１２が押下された場合、ＣＰＵ５５は、液晶表示装置５２の表示する画面を図８の画面に書き換える。この場合、キー入力画面は、Ｄブロックの表示が書き換えられるだけであり、使用者は、Ｃブロックの各キー５１０〜５１２の表示から設定されている複写条件を確認することができる。
【００２５】
また、使用者により一定の期間、キー入力がされない場合には、液晶表示装置５２の表示する画面を図５の基本画面に書き換える。更に、一定の期間、キー入力がされない場合には、設定されたコピーモードを初期化し、液晶表示装置５２の表示画面を図４に示す初期画面に書き換える。このように、本実施形態の表示装置は、使用者が設定するコピーモードについて考えている間に一定時間経過してしまった場合であっても、直接初期画面に書き換えてしまうのではなく、一旦、基本画面に書き換えた後、更に一定期間の経過を待って初期画面に書き換える。これにより、コピーモード設定中の不要な初期化を防止することができる。
【００２６】
図８は、図５の基本画面で用紙画面呼び出しキー５１２が押下された場合に液晶表示装置５２に表示されるキー入力画面を示す。Ｄブロック５０４には、各サイズの複写用紙選択キー５３１〜５３６が示される。例えば使用者により設定キー５３１が押下された場合には、Ａ３サイズの複写用紙が選択されると共に、キー５１２の位置の表示を「オート用紙」から「Ａ３サイズ」に書き換える。
【００２７】
この画面において、使用者により濃度画面呼び出しキー５１０が押下された場合、ＣＰＵ５５は、液晶表示装置５２の表示する画面を図６の画面に書き換える。使用者により倍率画面呼び出しキー５１１が押下された場合、ＣＰＵ５５は、液晶表示装置５２の表示する画面を図７の画面に書き換える。この場合、キー入力画面は、Ｄブロックの表示が書き換えられるだけであり、使用者は、Ｃブロックの各キー５１０〜５１２の表示から設定されている複写条件を確認することができる。
【００２８】
また、使用者により一定の期間、キー入力がされない場合には、液晶表示装置５２の表示する画面を図５の基本画面に書き換える。更に、一定の期間、キー入力がされない場合には、設定されたコピーモードを初期化し、液晶表示装置５２の表示画面を図４に示す初期画面に書き換える。このように、本実施形態の表示装置は、使用者が設定するコピーモードについて考えている間に一定時間経過してしまった場合であっても、直接初期画面に書き換えてしまうのではなく、一旦、基本画面に書き換えた後、更に一定期間の経過を待って初期画面に書き換える。これにより、コピーモード設定中の不要な初期化を防止することができる。
【００２９】
図９は、図５の基本画面で使用者によりファイリングキー５０６が押下された場合に液晶表示装置５２に表示されるキー入力画面を示す。ファイリングモードでは、例えば、コピー用紙に一定のとじ代を作成するとじ代キー５４０と、表紙を作成する表紙キー５４１、わく消しを行うイレースキー５４２と、綴じ代を左右交互に設定する週刊誌とじキー５２３と、本の原稿を複写するためのブック原稿キー５４４とを備える。使用者によりクリエイトキー５０５、仕上げキー５０７、コピー形式キー５０８そして基本キー５０９が押下された場合には、ＣＰＵ５５は、液晶表示装置５２に表示する画面を各々キー入力に対応する画面に書き換える。また、ＣＰＵ５５は、使用者により一定の期間、キー入力がされない場合には、液晶表示装置５２の表示する画面を図５の基本画面に書き換える。更に、一定の期間、キー入力がされない場合には、設定されたコピーモードを初期化し、液晶表示装置５２の表示画面を図４に示す初期画面に書き換える。これにより、コピーモード設定中の不要な初期化を防止することができる。
【００３０】
以上、本発明の表示装置では、液晶表示部５２をＡブロック５０１〜Ｄブロック５０４の４つのブロックに分割し、上位、中位、下位の３つの階層に分類した各複写条件をブロック毎に書き換え可能にした。あるブロックの表示内容を保持したまま別ブロックの表示内容を書き換えるため、使用者は、常に複数の画像形成条件を同時に確認することができる。従って、使用者は、ある複写条件を設定中であっても、その他の複写条件を確認することができ、誤設定を防止することができる。
【００３１】
また、使用者によるキー入力が一定期間されなかった場合であっても、従来のように、直接コピーモードを初期化し、キー入力画面を初期画面に書き換えるのでなく、一旦、キー入力画面を基本画面に書き換えた後、更に一定の期間が経過した場合に、コピーモードの初期化を行い、キー入力画面を初期画面に書き換える。これにより、コピーモードを設定中の不要な初期化を防止することができる。
【００３２】
（４）表示制御処理
図１０は、ＣＰＵ５５の実行する表示制御処理のメインルーチンである。まず、ステップＳ１００で複写機本体の電源がＯＮされた後、初期化処理を実行する（ステップＳ１０１）。この初期化処理では、後に説明するように、ＣＰＵ５５の初期化や、コピーモードの初期化、及び初期画面表示等の処理を実行する。使用者によりパネル入力がされた場合（ステップＳ１０２でＹＥＳ）、入力処理（ステップＳ１０３）を実行し、更に入力に対応した画面表示処理（ステップＳ１０４）を実行する。そしてプリントヘッド部３１に使用者により設定されたコピーモードの情報を送る。使用者によりプリントキー６１が押下された場合（ステップＳ１０６でＹＥＳ）、プリントヘッド部３１にプリント開始の指示を送る（ステップＳ１０７）。そしてプリントヘッド部３１からのプリント終了の信号を受け取るまでの間、待機する（ステップＳ１０８）。プリントヘッド部３１からプリント終了の信号を受け取った場合、及び使用者によりプリントキー６１が押下されなかった場合、上記ステップＳ１０２に戻る。上記ステップＳ１０２において使用者より何らのパネル入力がされない場合には画像遷移処理を実行する（ステップＳ１１０）。
【００３３】
図１１は、初期化処理（ステップＳ１０１）の処理フローチャートである。まずＣＰＵ５５の初期化を実行する（ステップＳ２０１）。次のコピーモードを初期化する（ステップＳ２０２）。例えばプリントヘッド部３１からの割り込みを許可する（ステップＳ２０２）。次の書き換えフラグＫの値を１に設定し（ステップＳ２０４）、画面変数Ｇの値を基本画面に対応する０に設定する。そして後に説明する画面表示処理（ステップＳ２０６）を実行する。これにより液晶表示装置５２には図４に示す初期画面が表示される。
【００３４】
図１２は、入力処理（ステップＳ１０３）の処理フローチャートを示す図である。まず使用者によるキー入力がプリントキー６１の入力であるか否かを判断する（ステップＳ３０１）。使用者によるキー入力がプリントキー６１の入力以外である場合（ステップＳ３０１でＮＯ）、以下の処理を実行する。まず、画面変数Ｇの値に対応するキーマトリクスを選択し（ステップＳ３０２）、タッチスイッチ５３の押下された位置からキーの種類を判別する（ステップＳ３０３）。使用者により押下されたキーの種類がコピーモードの設定キーの場合（ステップＳ３０４でＹＥＳ）、コピーモードの設定処理を実行する（ステップＳ３０５）。ここで、設定キーとは、例えば、基本画面において、Ｄブロックに濃度画面（図６参照）が表示されているときの設定キー５１３〜５１８をいう。ステップＳ３０５のコピーモード設定処理により、キー５１０〜５１２に表示する文字列を書き換える必要が生じた場合（ステップＳ３０６でＹＥＳ）、文字フラグＭの値を１とする（ステップＳ３０７）。ステップＳ３０７における文字フラグＭの値の書き換え後、もしくはステップＳ３０６で文字列の書き換えが不要であった場合、画面遷移タイマーを３秒にセットする（ステップＳ３０８）。この画面遷移タイマーの計時が終了した場合には、後に説明する画面遷移処理（ステップＳ１１０）においてキー入力画面を（例えば図５に示したような）基本画面に書き換える。一方、使用者により押下されたキーが用紙画面呼び出しキー５１２である場合（ステップＳ３１０でＹＥＳ）、画面変数Ｇの値を用紙画面（図８参照）に対応する１に設定する（ステップＳ３１１）。また、使用者により倍率画面呼び出しキー５１１が押下された場合（ステップＳ３１２でＹＥＳ）、画面変数Ｇの値を用紙画面（図７参照）に対応する２に設定する（ステップＳ３１３）。使用者により濃度画面呼び出しキー５１０が押下された場合（ステップＳ３１４でＹＥＳ）、画面変数Ｇの値を濃度画面（図６参照）に対応する３に設定する（ステップＳ３１５）。そして、ステップＳ３１１、Ｓ３１３、Ｓ３１５により画面変数Ｇの値が変更された場合には、書き換えフラグＫの値を１に設定する（ステップＳ３１６）と共に、画面遷移タイマーを１５秒にセットする（ステップＳ３１７）。また、使用者により押下されたキーが上記キー以外のキーである場合、例えばファイリングキー５０６であった場合、画面変数Ｇの値を４に設定し、書き換えフラグＫの値を１に設定し、画面遷移タイマを１５秒にセットする（ステップＳ３１８）。この画面遷移タイマーの計時が終了した場合には、後に説明する画面遷移処理（ステップＳ１１０）においてキー入力画面が図５に示した基本画面に書き換えられる。使用者によるキー入力の種類によらずオートクリアタイマーを６０秒にセットする（ステップＳ３１９）。このオートクリアタイマーの計時が終了した場合には、後に説明する画像遷移処理（ステップＳ１１０）において、キー入力画面を図４に示した初期画面に書き換える。
【００３５】
図１３は、画面表示処理（ステップＳ１０４）の処理フローチャートを示す図である。書き換えフラグＫの値が１である場合（ステップＳ４０１でＹＥＳ）、キー入力画面の書き換えが必要であり、次のステップＳ４０２でＶＲＡＭ５７より画面変数Ｇの値に対応する画面のデータを読み出し、これを液晶表示装置５２に出力する。具体的に画面変数Ｇの値が０の場合には、ＶＲＡＭ５７より基本画面のデータを読み出し、これを液晶表示装置５２に出力する。画面変数の値が１の場合には、用紙画面のデータをＶＲＡＭ５７より読み出し、これを液晶表示装置５２に出力する。画面変数Ｇの値が２の場合には、ＶＲＡＭ５７より倍率画面のデータを読み出し、これを液晶表示装置５２に出力する。画面変数の値が３の場合には、濃度画面のデータをＶＲＡＭ５７より読み出し、これを液晶表示装置５２に出力する。画面変数の値が４の場合には、ファイリング設定モードの画面データをＶＲＡＭ５７より読み出し、これを液晶表示装置５２に出力する。更に、読み出した画面に対応する文字列データをＶＲＡＭ５７もしくはＲＡＭ５８より読み出し、これを液晶表示装置５２に出力する（ステップＳ４０３）。例えば、倍率画面において、使用者により複写倍率が１．０００より０．７０７に変更された場合、キー５１１の箇所の文字列を「０．７０７」に変更する。一方、書き換えフラグＫの値は０であるが文字フラグＭの値が１である場合には（ステップＳ４０４でＹＥＳ）、ＶＲＡＭ５７もしくはＲＡＭ５８より該当する文字列データを読み出し、これを液晶表示装置５２に出力する（ステップＳ４０５）。具体的には、次に説明する画面遷移処理（ステップＳ１１０）により基本画面から初期画面に書き換えられる場合がこれに相当する。上記表示処理の後、ステップＳ４０６で書き換えフラグＫの値及び文字フラグＭの値を共に０に設定し、リターンする。
【００３６】
図１４は、画面遷移処理（ステップＳ１１０）の処理フローチャートを示す。ステップＳ５０１では、図１２のステップＳ３１８でセットされたオートクリアタイマーの計時が終了しているか否かを判断する。オートクリアタイマは、使用者により６０秒間、何のキー入力もされなかった場合に計時を終了する。オートクリアタイマの計時が終了した場合（ステップＳ５０１でＹＥＳ）、コピーモードを電源投入時の初期状態に設定する（ステップＳ５０５）。そして画面変数Ｇの値を基本画面に対応する０に設定する（ステップＳ５０６）と共に、書き換えフラグＫの値を１に設定する。画面表示処理（ステップＳ１０４）が実行されることで、液晶表示装置５２には図４の初期画面が表示される。また、オートクリアタイマの計時が終了していない場合（ステップＳ５０１でＮＯ）、次のステップＳ５０２では、図１２のステップＳ３０８もしくはＳ３１７でセットされた画面遷移タイマーの計時が終了しているか否かを判断する。画面遷移タイマは、使用者により３秒間もしくは１５秒間、何のキー入力もされなかった場合にタイムアップする。画面遷移タイマの計時が終了した場合（ステップＳ５０２でＹＥＳ）、使用者により設定されたコピーモードは変更せず、画面変数Ｇの値を基本画面に対応する０に設定する（ステップＳ５０３）と共に、書き換えフラグＫの値を１に設定する（ステップＳ５０４）。画面表示処理（ステップＳ１０４）が実行されることで、液晶表示装置５２には、図６に示す複写濃度設定画面より図５に示す基本画面に書き換えられる。
【００３７】
【発明の効果】
本発明の表示措置では、使用者によるキー入力が一定期間されなかった場合であっても、一旦、キー入力画面を初期画面とは異なるとともに基本機能を設定する画面、または、下位階層での画像形成条件の設定内容を含む初期画面に書き換え、その後、更に一定の期間が経過した場合に、コピーモードの初期化を行い、キー入力画面を初期画面に書き換える。これにより、コピーモードを設定中の不要な初期化を防止することができる。
【図面の簡単な説明】
【図１】  デジタルカラー複写機の構成を示す断面図である。
【図２】  操作パネル部の正面図である。
【図３】  操作パネル部のブロック図である。
【図４】  液晶表示装置に表示される初期画面を示す図である。
【図５】  使用者により複写枚数５枚、複写倍率０．７０７倍が設定された場合の基本画面を示す図である。
【図６】  濃度画面が呼び出された場合のキー入力画面を示す図である。
【図７】  倍率画面が呼び出された場合のキー入力画面を示す図である。
【図８】  用紙画面が呼び出された場合のキー入力画面を示す図である。
【図９】  ファイリングモードが選択された場合のキー入力画面を示す図である。
【図１０】  表示制御処理のメインルーチンのフローチャートである。
【図１１】  初期化の処理フローチャートである。
【図１２】  入力処理の処理フローチャートである。
【図１３】  画面表示処理の処理フローチャートである。
【図１４】  画面遷移処理の処理フローチャートである。
【符号の説明】
５０…操作パネル部
５２…液晶表示装置
５３…タッチスイッチ
５４…テンキー
５５…ＣＰＵ
５６…ＬＣＤコントローラ
５７…ＶＲＡＭ
５８…ＲＡＭ
５９…ＲＯＭ
６０…ＭＰＸ
６１…プリントキー
５０１…Ａブロック
５０２…Ｂブロック
５０３…Ｃブロック
５０４…Ｄブロック
５０５…クリエイトキー
５０６…ファイリングキー
５０７…仕上げキー
５０８…コピー形式キー
５０９…基本キー
５１０…濃度画面呼び出しキー
５１１…倍率画面呼び出しキー
５１２…用紙画面呼び出しキー
【図１】
0003678178.tif 000002
【図２】
0003678178.tif 000003
【図３】
0003678178.tif 000004
【図４】
0003678178.tif 000005
【図５】
0003678178.tif 000006
【図６】
0003678178.tif 000007
【図７】
0003678178.tif 000008
【図８】
0003678178.tif 000009
【図９】
0003678178.tif 000010
【図１０】
0003678178.tif 000011
【図１１】
0003678178.tif 000012
【図１２】
0003678178.tif 000013
【図１３】
0003678178.tif 000014
【図１４】
0003678178.tif 000015